【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
参照光と信号光との干渉縞によってデータが記録されるホログラム記録媒体に対する記録再生を行う記録再生装置であって、
入射光に対し画素単位で空間光位相変調を行うと共に、上記信号光を生成するための領域としての信号光エリアと上記参照光を生成するための領域としての参照光エリアとが設定された位相変調器を少なくとも有し、上記参照光エリアを介した光と上記信号光エリアを介した光に位相差を与えることが可能となるように構成された位相変調手段と、
光源から発せられ上記位相変調手段を介して得られる光を上記ホログラム記録媒体に対して導く光学系と、
上記位相変調器に対する制御を行う位相制御手段として、記録時には、上記信号光エリア内の位相変調パターンが記録データに応じたパターンとなり且つ上記参照光エリア内の位相変調パターンが所定パターンとなるようにして上記位相変調器の各画素を駆動制御し、再生時には、上記信号光エリアを介して上記位相変調手段から出射されるＤＣ光の全体位相と、上記参照光エリアを介して上記位相変調手段から出射される参照光内の基準位相との位相差としてπ／２の位相差が与えられるように上記各画素を駆動制御する位相制御手段と、
を備える記録再生装置。
【請求項２】
上記位相変調手段は、
上記位相変調器として、π／２単位による位相変調が可能な位相変調器を備え、
上記位相制御手段は、再生時の制御として、
上記信号光エリア内の全画素の位相と上記参照光エリア内の基準画素の位相との位相差がπ／２となるように上記位相変調器の各画素を駆動制御する、
請求項１に記載の記録再生装置。
【請求項３】
上記位相変調手段は、
π単位による位相変調が可能な位相変調器と、
第１の領域と第２の領域とを有し、上記第１の領域の透過光と上記第２の領域の透過光にπ／２以下の単位による位相差を与えることができるように構成された位相素子との組み合わせで成り、
上記位相素子を動かす駆動手段と、
上記駆動手段を制御する駆動制御手段とをさらに備えると共に、
上記位相制御手段は、再生時の制御として、
上記信号光エリア内の全体画素の位相と上記参照光エリア内の基準画素の位相との位相差が０またはπとなるように上記位相変調器の各画素を駆動制御し、
上記駆動制御手段は、
記録時または再生時の何れか一方で上記第１の領域の透過光と上記第２の領域の透過光に位相差が与えられるように上記位相素子が動かされるようにして上記駆動手段を制御する、
請求項１に記載の記録再生装置。
【請求項４】
上記位相制御手段は、再生時の制御として、
上記ホログラム記録媒体に記録される１ホログラムページの読み出しごとに、上記ＤＣ光の全体位相と上記参照光内の基準位相との位相差として、上記π／２の位相差と３π／２の位相差が順次与えられるように上記各画素を駆動制御すると共に、
上記位相制御手段の再生時の制御に伴い２種得られる上記ＤＣ光と、上記参照光の照射に応じてホログラム記録媒体から得られる再生光とを受光することで、１ホログラムページの読み出しごとに、上記２種のＤＣ光と上記再生光とが加算された２種の画像信号を得る画像検出手段と、
上記画像検出手段により１ホログラムページの再生ごとに得られる上記２種の画像信号の差分を計算する差分計算手段とを備える、
請求項１に記載の記録再生装置。
【請求項５】
上記位相変調手段は、
上記位相変調器として、π／２単位による位相変調が可能な位相変調器を備え、
上記位相制御手段は、再生時の制御として、
１ホログラムページの読み出しごとに、上記信号光エリア内の全画素の位相と上記参照光エリア内の基準画素の位相とにπ／２の位相差と３π／２の位相差が順次与えられるように上記位相変調器の各画素を駆動制御する、
請求項４に記載の記録再生装置。
【請求項６】
上記位相変調手段は、
π単位による位相変調が可能な位相変調器と、
第１の領域と第２の領域とを有し、上記第１の領域の透過光と上記第２の領域の透過光にπ／２以下の単位による位相差を与えることができるように構成された位相素子との組み合わせで成り、
上記位相素子を動かす駆動手段と、
上記駆動手段を制御する駆動制御手段とをさらに備えると共に、
上記位相制御手段は、再生時の制御として、
１ホログラムページの読み出しごとに、上記信号光エリア内の全画素の位相と上記参照光エリア内の基準画素の位相とに０の位相差とπの位相差が順次与えられるように上記位相変調器の各画素を駆動制御し、
上記駆動制御手段は、
記録時または再生時の何れか一方で上記第１の領域の透過光と上記第２の領域の透過光に位相差が与えられるように上記位相素子が動かされるようにして上記駆動手段を制御する、
請求項４に記載の記録再生装置
【請求項７】
上記光学系における所定位置に対して挿入され、少なくとも上記位相変調器における上記信号光エリアと上記参照光エリアとの間のギャップエリアを介した光を遮光するように構成された遮光手段をさらに備える、
請求項１に記載の記録再生装置。
【請求項８】
上記位相制御手段は、記録時において、
上記記録データを、位相０とπの数が同数となる組み合わせで成る符号列に変換し、当該符号列に基づき上記信号光エリア内の各画素を駆動制御する、
請求項１に記載の記録再生装置。
【請求項９】
参照光と信号光との干渉縞によってデータが記録されるホログラム記録媒体に対する記録再生を行う記録再生装置として、入射光に対し画素単位で空間光位相変調を行うと共に、上記信号光を生成するための領域としての信号光エリアと上記参照光を生成するための領域としての参照光エリアとが設定された位相変調器を少なくとも有し、上記参照光エリアを介した光と上記信号光エリアを介した光に位相差を与えることが可能となるように構成された位相変調手段と、光源から発せられ上記位相変調手段を介して得られる光を上記ホログラム記録媒体に対して導く光学系とを備えた記録再生装置における記録再生方法であって、
記録時において、上記信号光エリア内の位相変調パターンが記録データに応じたパターンとなり且つ上記参照光エリア内の位相変調パターンが所定パターンとなるようにして上記位相変調器の各画素を駆動制御する記録時位相制御手順と、
再生時において、上記信号光エリアを介して上記位相変調手段から出射されるＤＣ光の全体位相と、上記参照光エリアを介して上記位相変調手段から出射される参照光内の基準位相との位相差としてπ／２の位相差が与えられるように上記各画素を駆動制御する再生時位相制御手順と、
を備える記録再生方法。
【請求項１０】
参照光と信号光との干渉縞によってデータが記録されるホログラム記録媒体に対する記録を行う記録装置であって、
入射光に対し画素単位で空間光位相変調を行うと共に、上記信号光を生成するための領域としての信号光エリアと上記参照光を生成するための領域としての参照光エリアとが設定された位相変調器と、
光源から発せられ上記位相変調器を介して得られる光を上記ホログラム記録媒体に対して導く光学系と、
上記信号光エリア内の位相変調パターンが記録データに応じたパターンとなり且つ上記参照光エリア内の位相変調パターンが所定パターンとなるようにして上記位相変調器の各画素を駆動制御する位相制御手段と、
を備える記録装置。
【請求項１１】
参照光と信号光との干渉縞によってデータが記録されるホログラム記録媒体に対する記録を行う記録装置として、入射光に対し画素単位で空間光位相変調を行うと共に、上記信号光を生成するための領域としての信号光エリアと上記参照光を生成するための領域としての参照光エリアとが設定された位相変調器と、光源から発せられ上記位相変調器を介して得られる光を上記ホログラム記録媒体に対して導く光学系とを備えた記録装置における記録方法であって、
上記信号光エリア内の位相変調パターンが記録データに応じたパターンとなり且つ上記参照光エリア内の位相変調パターンが所定パターンとなるようにして上記位相変調器の各画素を駆動制御する、
記録方法。
【請求項１２】
参照光と信号光との干渉縞によってデータが記録されるホログラム記録媒体に対する再生を行う再生装置であって、
入射光に対し画素単位で空間光位相変調を行うと共に、上記信号光を生成するための領域としての信号光エリアと上記参照光を生成するための領域としての参照光エリアとが設定された位相変調器を少なくとも有し、上記参照光エリアを介した光と上記信号光エリアを介した光に位相差を与えることが可能となるように構成された位相変調手段と、
光源から発せられ上記位相変調手段を介して得られる光を上記ホログラム記録媒体に対して導く光学系と、
上記信号光エリアを介して上記位相変調手段から出射されるＤＣ光の全体位相と、上記参照光エリアを介して上記位相変調手段から出射される参照光内の基準位相との位相差としてπ／２の位相差が与えられるように上記位相変調器の各画素を駆動制御する位相制御手段と、
を備える再生装置。
【請求項１３】
参照光と信号光との干渉縞によってデータが記録されるホログラム記録媒体に対する再生を行う再生装置として、入射光に対し画素単位で空間光位相変調を行うと共に、上記信号光を生成するための領域としての信号光エリアと上記参照光を生成するための領域としての参照光エリアとが設定された位相変調器を少なくとも有し、上記参照光エリアを介した光と上記信号光エリアを介した光に位相差を与えることが可能となるように構成された位相変調手段と、光源から発せられ上記位相変調手段を介して得られる光を上記ホログラム記録媒体に対して導く光学系とを備える再生装置における再生方法であって、
上記信号光エリアを介して上記位相変調手段から出射されるＤＣ光の全体位相と、上記参照光エリアを介して上記位相変調手段から出射される参照光内の基準位相との位相差としてπ／２の位相差が与えられるように上記位相変調器の各画素を駆動制御する、
再生方法。
【手続補正２】
【補正対象書類名】明細書
【補正対象項目名】０１２８
【補正方法】変更
【補正の内容】
【０１２８】
【図１】本発明の第１の実施の形態としての記録再生装置の内部構成を示した図である。
【図２】第１の実施の形態の記録再生装置が備える位相変調器内の液晶素子の構造について説明するための図である。
【図３】マスク素子の構造について説明するための図である。
【図４】第１の実施の形態の記録再生装置が行う記録再生動作について説明するための図として、記録時と再生時に参照光エリア、信号光エリアに与える位相変調パターンを例示した図である。
【図５】ホログラム記録媒体に対して記録される信号値を実数軸と虚数軸を用いて表した図である。
【図６】実数軸と虚数軸を用いてＤＣ光が加算される様子を示した図である。
【図７】第１の実施の形態の記録再生装置が備える位相制御部の内部構成を示した図である。
【図８】第２の実施の形態の記録再生装置の内部構成を示した図である。
【図９】第２の実施の形態の記録再生装置が備える位相素子の構造を示した図である。
【図１０】差動検出による再生手法（第３の実施の形態）について説明するための図である。
【図１１】差動検出の原理説明図である。
【図１２】差動検出を実現するために備えられるべきデータ再生部の内部構成を示した図である。
【図１３】第４の実施の形態としての記録手法（ＤＣフリー記録）を実現するために備えられるべき位相制御部の内部構成を示した図である。
【図１４】ＤＣフリーな記録変調符号化の例について説明するための図として、変調符号化テーブルのデータ構造例を示した図である。
【図１５】信号光と参照光との配置関係についての変形例を示した図である。
【図１６】信号光と参照光とを半々に分割配置する場合における記録／再生時のレーザ光の様子を模式的に示した図である。
【図１７】信号光と参照光とを半々に分割配置する場合において、再生時に生じた参照光のレンズ反射成分により再生光に影響が与えられる様子を模式的に示した図である。
【図１８】従来例としての記録再生装置の内部構成を示した図である。
【図１９】従来の記録手法ついて説明するための図である。
【図２０】従来の再生手法について説明するための図である。
【図２１】強度変調器にて設定される参照光エリア、信号光エリア、ギャップエリアの各エリアについて説明するための図である。